(57)【要約】【課題】画像の属性情報や撮影条件などの画像に関連する付属情報が利用しやすく、記録や通信のハンドリング性を損なわないファイルを作成することができる撮像装置を提供する。【解決手段】デジタルカメラにより被写体に対する撮影条件を決めて撮影を行う（ステップＳ１０）。この撮影によって取得した画像信号を画像処理し、画像ファイルを作成すると同時に、画像の属性情報や撮影条件などの画像に関連する付属情報が記述されたＸＭＬファイルを作成する（ステップＳ２０、Ｓ３０）。このＸＭＬファイルに画像ファイルを参照するための画像ファイルリンクを埋め込み（ステップＳ４０）、前記作成したＸＭＬファイルと画像ファイルとをアーカイバで１つにまとめ、アーカイブファイルを作成する（ステップＳ５０）。このアーカイブファイルをデジタルカメラの記録メディアに記録する（ステップＳ６０）。【選択図】      図４
2005217505.tif 000002
【特許請求の範囲】
【請求項１】
撮像素子を含む撮像部から出力される画像信号を画像処理し、画像ファイルを作成する撮像装置において、
前記画像ファイルをリンク参照するためのリンク情報と当該画像ファイルの画像に関連する付属情報とを記述したＸＭＬファイルを自動生成するＸＭＬファイル生成手段と、
前記ＸＭＬファイルと前記画像ファイルとをアーカイブ化し、アーカイブファイルを作成するアーカイブファイル作成手段と、
前記作成したアーカイブファイルを記録メディアに記録する記録手段と、
を備えたことを特徴とする撮像装置。
【請求項２】
前記アーカイブファイル作成手段は、前記ＸＭＬファイルと前記画像ファイルとを圧縮してアーカイブ化し、圧縮したアーカイブファイルを作成することを特徴とする請求項１に記載の撮像装置。
【請求項３】
前記アーカイブファイル作成手段は、前記ＸＭＬファイルと前記画像ファイルとを自己解凍式でアーカイブ化し、自己解凍式アーカイブファイルを作成することを特徴とする請求項１又は２に記載の撮像装置。
【請求項４】
ユーザパスワードを設定するパスワード設定手段を更に備え、
前記ＸＭＬファイル生成手段は、前記パスワード設定手段によって設定されたユーザパスワードを前記ＸＭＬファイルに記述し、
前記アーカイブファイル作成手段は、前記ＸＭＬファイルからユーザパスワードを読み取り、該ユーザパスワードが入力されたときのみ解凍するアーカイブファイルを作成することを特徴とする請求項１、２又は３に記載の撮像装置。
【請求項５】
請求項１乃至４のいずれかに記載の撮像装置によって作成されたアーカイブファイルを閲覧するためのビューワソフトであって、
前記記録メディアから直接又は通信手段を介して前記アーカイブファイルを取り込む機能と、
前記取り込んだアーカイブファイルを解凍し、ＸＭＬファイルと画像ファイルを得る機能と、
前記解凍したＸＭＬファイルを表示手段に表示させるとともに、前記ＸＭＬファイルに記述されたリンク情報を参照して前記解凍した画像ファイルの画像を前記表示手段に表示させる機能と、
をコンピュータに実現させることを特徴とするビューワソフト。
【請求項６】
請求項１乃至４のいずれかに記載の撮像装置によって作成されたアーカイブファイルを送受信する通信ソフトであって、
前記アーカイブファイルの送信時にアーカイブファイルをそのまま送信する機能と、
前記アーカイブファイルの受信時にアーカイブファイルを受信し、該アーカイブファイルを解凍してＸＭＬファイルと画像ファイルを取得する機能と、
をコンピュータに実現させることを特徴とする通信ソフト。
【請求項７】
請求項１乃至４のいずれかに記載の撮像装置によって作成されたアーカイブファイルを登録管理する画像管理ソフトであって、
入力するアーカイブファイルを解凍し、ＸＭＬファイルと画像ファイルとを取得する機能と、
前記取得したＸＭＬファイルのタグで囲まれたテキスト情報を抽出し、該テキスト情報を検索情報として前記画像ファイルを記憶手段に登録する機能と、
検索情報が入力されると、該検索情報と一致する検索情報で登録された画像ファイルを前記記憶手段から検索する機能と、
をコンピュータに実現させることを特徴とする画像管理ソフト。
【発明の詳細な説明】
【技術分野】
【０００１】
本発明は撮像装置、ビューワソフト、通信ソフト及び画像管理ソフトに係り、特に画像に関連する付属情報を記述する技術に関する。
【背景技術】
【０００２】
デジタル画像のファイル形式としては、特許文献１に詳述されているＥｘｉｆ(Exchangeable image file format ）ファイルが著名である。ＪＥＩＤＡ（日本電子工業振興会) で標準化が図られ、多くのデジタルカメラにおいて採用されている。
【０００３】
Ｅｘｉｆファイルは、従来から広く用いられていたタグ形式をベースにしており、当該タグに画像の各種属性情報を格納し、参照利用できるようにしたものである。
【０００４】
また、Ｅｘｉｆと同様な効果を狙ったものとして、マークアップ言語（Markup Language)による属性記述とそれにリンクした画像ファイルによって構成する方法がある。例えば、ＨＴＭＬ(Hypertext Markup Language) で記述されたWeb サイトにおいて、アンカータグをクリックすることで画像を参照できるようにすることは一般的である。最近では、属性（タグ）を任意に定義できるＸＭＬ(Extensible Markup Language)が広く用いられるようになってきた。
【０００５】
特許文献２には、撮影地点の位置情報（緯度、経度）を画像ファイルとは別のファイルに記録する方法に関する記載があり、この別のファイルとして、ＸＭＬをベースにしたマークアップ言語で、タグを使って階層構造化してデータを記述するＰＯＩＸ(Point Of Interest language)を用いる例が記載されている。
【特許文献１】特開２００３−１１０８４４号公報
【特許文献２】特開２００１−１８９９０５号公報
【発明の開示】
【発明が解決しようとする課題】
【０００６】
ところで、Ｅｘｉｆに代表されるような属性情報及び画像が一体となったファイル形式では、属性情報を格納するタグの構成・構造（内容、長さ、順番）が規定されており、参照利用するためには、それらに対する知識が必要であり、ひいては専用のビューワが必要であった。
【０００７】
一方、マークアップ言語による方法では、属性情報が平易なテキストで記述されているため、参照利用は容易であるが、属性情報ファイルと画像ファイルが独立なファイルとなっており、属性情報ファイルに埋め込んだリンク情報から画像ファイルを参照する形式のため、格納位置を誤った場合には参照できない欠点があった。特に、通信を利用した画像伝送を想定すると、属性情報と画像本体という２つのファイルをそれらのリンク関係を維持しながら送る必要があり、ハンドリングの面で難があった。
【０００８】
本発明の目的は、上記事情に鑑みてなされたもので、画像の属性情報や撮影条件などの画像に関連する付属情報が利用しやすく、記録や通信のハンドリング性を損なわないファイルを作成することができる撮像装置を提供することにある。
【０００９】
本発明の他の目的は、上記撮像装置によって作成されたファイルを閲覧するためのビューワソフト、当該ファイル用の通信ソフト及び画像管理ソフトを提供することにある。
【課題を解決するための手段】
【００１０】
前記目的を達成するために請求項１に係る発明は、撮像素子を含む撮像部から出力される画像信号を画像処理し、画像ファイルを作成する撮像装置において、前記画像ファイルをリンク参照するためのリンク情報と当該画像ファイルの画像に関連する付属情報とを記述したＸＭＬファイルを自動生成するＸＭＬファイル生成手段と、前記ＸＭＬファイルと前記画像ファイルとをアーカイブ化し、アーカイブファイルを作成するアーカイブファイル作成手段と、前記作成したアーカイブファイルを記録メディアに記録する記録手段と、を備えたことを特徴としている。
【００１１】
画像に関連する付属情報を記述したＸＭＬファイルを生成するようにしたため、付属情報を参照利用しやすくなる。また、画像ファイルとＸＭＬファイルとのアーカイブ化によって１つのファイル（アーカイブファイル）にしたため、記録や通信におけるハンドリング性は、Ｅｘｉｆファイルと同等にすることができる。
【００１２】
請求項２に示すように請求項１に記載の撮像装置において、前記アーカイブファイル作成手段は、前記ＸＭＬファイルと前記画像ファイルとを圧縮してアーカイブ化し、圧縮したアーカイブファイルを作成することを特徴としている。これにより、記録容量を低減することができるとともに、通信時間の短縮化を図ることができる。
【００１３】
請求項３に示すように請求項１又は２に記載の撮像装置において、前記アーカイブファイル作成手段は、前記ＸＭＬファイルと前記画像ファイルとを自己解凍式でアーカイブ化し、自己解凍式アーカイブファイルを作成することを特徴としている。アーカイブファイルの展開にアプリケーションソフトが不要となる。
【００１４】
請求項４に示すように請求項１、２又は３に記載の撮像装置において、ユーザパスワードを設定するパスワード設定手段を更に備え、前記ＸＭＬファイル生成手段は、前記パスワード設定手段によって設定されたユーザパスワードを前記ＸＭＬファイルに記述し、前記アーカイブファイル作成手段は、前記ＸＭＬファイルからユーザパスワードを読み取り、該ユーザパスワードが入力されたときのみ解凍するアーカイブファイルを作成することを特徴としている。
【００１５】
パスワードを知っている利用者のみがファイルを解凍利用することができ、プライバシー／セキュリティ機能を付加することができる。
【００１６】
請求項５に係る発明は、請求項１乃至４のいずれかに記載の撮像装置によって作成されたアーカイブファイルを閲覧するためのビューワソフトであって、前記記録メディアから直接又は通信手段を介して前記アーカイブファイルを取り込む機能と、前記取り込んだアーカイブファイルを解凍し、ＸＭＬファイルと画像ファイルを得る機能と、前記解凍したＸＭＬファイルを表示手段に表示させるとともに、前記ＸＭＬファイルに記述されたリンク情報を参照して前記解凍した画像ファイルの画像を前記表示手段に表示させる機能と、をコンピュータに実現させることを特徴としている。
【００１７】
前記撮像装置とセットで利用されるパーソナルコンピュータ（ＰＣ）等で動作するビューワソフトであり、当該撮像装置により作成されたアーカイブファイルを取り込み、当該アーカイブファイルを解凍してＸＭＬファイルと画像ファイルを取得する。そして、解凍したＸＭＬファイルを表示手段に表示させるとともに、ＸＭＬファイルに記述されたリンク情報を参照して画像ファイルの画像を表示手段に表示させるようにしている。
【００１８】
請求項６に係る発明は、請求項１乃至４のいずれかに記載の撮像装置によって作成されたアーカイブファイルを送受信する通信ソフトであって、前記アーカイブファイルの送信時にアーカイブファイルをそのまま送信する機能と、前記アーカイブファイルの受信時にアーカイブファイルを受信し、該アーカイブファイルを解凍してＸＭＬファイルと画像ファイルを取得する機能と、をコンピュータに実現させることを特徴としている。
【００１９】
アーカイブファイルで通信するため、ＸＭＬファイルと画像ファイルの２つのファイルの関係を維持でき、ハンドリング性を損なわないようにすることができる。また、アーカイブファイルを受信すると、これを解凍してＸＭＬファイルと画像ファイルを取得する。
【００２０】
請求項７に係る発明は、請求項１乃至４のいずれかに記載の撮像装置によって作成されたアーカイブファイルを登録管理する画像管理ソフトであって、入力するアーカイブファイルを解凍し、ＸＭＬファイルと画像ファイルとを取得する機能と、前記取得したＸＭＬファイルのタグで囲まれたテキスト情報を抽出し、該テキスト情報を検索情報として前記画像ファイルを記憶手段に登録する機能と、検索情報が入力されると、該検索情報と一致する検索情報で登録された画像ファイルを前記記憶手段から検索する機能と、をコンピュータに実現させることを特徴としている。
【００２１】
ＸＭＬファイルに記録されたテキスト情報を利用して簡単に所望の画像を検索することができる。
【発明の効果】
【００２２】
本発明によれば、画像ファイルとは別に当該画像ファイルをリンク参照するためのリンク情報と当該画像ファイルの画像に関連する付属情報とを記述したＸＭＬファイルを作成し、このＸＭＬファイルと画像ファイルとをアーカイブ化したアーカイブファイルを作成するようにしたため、画像の属性情報や撮影条件などの画像に関連する付属情報が利用しやすくなり、また、２つのファイルをアーカイブ化することで記録や通信のハンドリング性を損なうことがないという利点がある。
【発明を実施するための最良の形態】
【００２３】
以下添付図面に従って本発明に係る撮像装置、ビューワソフト、通信ソフト及び画像管理ソフトの好ましい実施の形態について詳説する。
【００２４】
図１は本発明に係る撮像装置の実施の形態を示すブロック図である。
【００２５】
図１に示す撮像装置１０はデジタルカメラであり、このデジタルカメラ１０の撮影光学系１２は、ズームレンズ１４、絞り機構１６及びフォーカスレンズ１８を含んでいる。被写体像は、撮影光学系１２を介してＣＣＤ等の撮像素子２０の受光面に結像され、ここで光の入射光量に応じた量の信号電荷に変換される。撮像素子２０に蓄積された信号電荷は、信号電荷に応じた電圧信号として順次読み出され、アナログ処理回路２２に出力される。
【００２６】
尚、ズームレンズ１４、絞り機構１６及びフォーカスレンズ１８は、それぞれシステムコントローラ２４からの制御信号によって制御されるズームモータ２６、絞りアクチュエータ２８、及びフォーカスモータ３０によって駆動される。また、撮像素子２０は、蓄積した信号電荷をシャッタゲートパルスによって掃き出すことができ、これにより電荷の蓄積時間（シャッタスピード）を制御する、いわゆる電子シャッタ機能を有している。
【００２７】
アナログ処理回路２２は、相関二重サンプリング回路（ＣＤＳ回路）、アンプ、Ａ／Ｄコンバータ等を有し、ＣＤＳ回路は入力する電圧信号を相関二重サンプリング処理する。ＣＤＳ回路によって処理された信号は、アンプによってゲインコントロールされたのち、Ａ／Ｄコンバータに加えられる。Ａ／Ｄコンバータは、入力信号を画素ごとにデジタルのＲ、Ｇ、Ｂ信号に変換して画像処理回路３２に出力する。
【００２８】
画像処理回路３２に加えられたＲ、Ｇ、Ｂ信号は、ここでホワイトバランス調整、ガンマ補正、及びＹＣ処理等の信号処理が施され、ＹＣ処理された輝度信号Ｙとクロマ信号Ｃｒ、Ｃｂ（ＹＣ信号）は画像メモリ３４に一時記憶される。画像メモリ３４に記憶されたＹＣ信号は表示回路３６を介して表示用の信号に変換され、液晶モニタ等の表示器３８に出力される。これにより、スルー画像や撮影された静止画等を表示器３８に表示させることができる。
【００２９】
また、画像処理回路３２は、アナログ処理回路２２から加えられるＲ、Ｇ、Ｂ信号を積算し、この積算した積算値に基づいて被写体輝度（撮影ＥＶ値）を求め、この撮影ＥＶ値をシステムコントローラ２４に出力したり、Ｒ、Ｇ、Ｂ信号の高周波成分を抽出するとともに、この抽出した高周波成分を積算してなる焦点情報を算出し、この焦点情報をシステムコントローラ２４に出力する。
【００３０】
システムコントローラ２４は、操作部４０（シャッタボタン、モードダイヤル、十字キー等を含む）からの入力に基づいて各回路を統括制御するとともに、前記ズームモータ２６を駆動制御して撮影倍率を制御し、また撮影ＥＶ値に基づいて絞りアクチュエータ２８及び撮像素子２０の電荷蓄積時間を制御する自動露出（ＡＥ）制御、及び前記焦点情報に基づいてフォーカスモータ３０を駆動制御するオートフォーカス（ＡＦ）制御などを実施する。
【００３１】
更に、システムコントローラ２４は、画像ファイル及びＸＭＬファイルの作成と、これらのファイルをまとめたアーカイブファイルの作成を行う。即ち、システムコントローラ２４は、撮影時に画像メモリ３４に一時記憶されたＹＣ信号を読み出し、このＹＣ信号からＹＣ信号をＪＰＥＧ(joint photgraphic experts group) 圧縮処理したＪＰＥＧ形式の画像ファイルを作成する。尚、図２に示すように画像ファイル５０のファイル名は、カメラがアルファベットと数字（連番）とを組み合わせて自動的に命名されており、この実施の形態の画像ファイル名は、IMG012345.jpg である。
【００３２】
また、システムコントローラ２４は、撮影画像の属性情報や撮影条件などの画像に関連する付属情報と、撮影画像の画像ファイルをリンク参照するためのリンク情報とを記述したＸＭＬファイルを自動生成する。
【００３３】
図２はＸＭＬファイルのファイル構造の一例を示す図である。同図に示すように、ＸＭＬファイル５２は、１行目にドキュメントがＸＭＬに準拠していることを示すＸＭＬ宣言が記述され、以降、任意に定義できる属性（タグ）にて付属情報（テキスト）が記述される。図２に示す例では、カメラ機種名、カメラメーカ、画像サイズ等が開始タグと終了タグの中に記述されている。また、画像ファイル５０をリンク参照するためのリンク情報が空要素タグにて記述されている。この空要素タグの中には、fileという属性があり、その値が、IMG012345.jpg であることを示している。尚、空要素タグは、＜で始まり、最後に／＞を記述してタグが閉じられる。
【００３４】
システムコントローラ２４は、図３に示すように上記作成した画像ファイル５０とＸＭＬファイル５２とをアーカイバによって１つにまとめ、アーカイブファイル５４を作成する。尚、図３に示す実施の形態では、アーカイバとしてバックアップ用途に用いられるtar(Tape Archiver)を使用した場合に関して示している。このtar には圧縮機能がない。また、tar でまとめたアーカイブファイルには、慣例として拡張子.tarが付けられる。
【００３５】
また、前記画像ファイル５０、ＸＭＬファイル５２及びアーカイブファイル５４は、図３に示すように各ファイル名のうちの拡張子を除いて、同じファイル名が付けれている。
【００３６】
図１に戻って、システムコントローラ２４は、上記のようにして作成したアーカイブファイル５４を、メディア書込読出回路４２を介してメモリカードなどの記録メディア４４に記録する。
【００３７】
図４は撮影から記録メディアへの記録までのデジタルカメラ１０の処理の流れを示すフローチャートである。
【００３８】
同図に示すように、デジタルカメラ１０により被写体に対する撮影条件を決めて撮影を行う（ステップＳ１０）。この撮影によって取得した画像信号を画像処理し、画像ファイルを作成する（ステップＳ２０）。同時に、画像の属性情報や撮影条件などの画像に関連する付属情報（前述したカメラ機種名、カメラメーカ、画像サイズの他に、例えば、撮影日時、シャッタ速度、絞り値、ＩＳＯ感度、焦点距離等）が記述されたＸＭＬファイルを作成する（ステップＳ３０）。
【００３９】
前記ＸＭＬファイルに画像ファイルを参照するための画像ファイルリンクを埋め込む（ステップＳ４０）。続いて、前記作成したＸＭＬファイルと画像ファイルとをアーカイバで１つにまとめ、アーカイブファイルを作成する（ステップＳ５０）。このアーカイブファイルをデジタルカメラ１０の記録メディアに記録する（ステップＳ６０）。
【００４０】
尚、この実施の形態では、アーカイバtar により非圧縮のアーカイブファイルを作成したが、これに限らず、ZIP と並んでよく用いられるアーカイバ「LHA 」により圧縮アーカイブファイル (拡張子がlzh であることからLZH ファイルともいう) を作成してもよい。また、世界的に最もよく用いられているアーカイバで、解凍プログラムを圧縮データの先頭に付加し、圧縮データ自体を実行可能ファイル形式にするアーカイバzip によりアーカイブファイルを作成するようにしてもよい。
【００４１】
画像ファイルとのリンク例は、画像ファイルがＸＭＬファイルと同一フォルダに存する場合、画像ファイル別のフォルダであっても、フォルダ毎アーカイブできる。
【００４２】
次に、ＸＭＬファイルにパスワードを埋め込む場合について説明する。
【００４３】
図５に示すようにデジタルカメラのメニュー／実行ボタン４０Ａや、メニュー等を選択するための十字ボタン４０Ｂ等を操作してＸＭＬファイルにパスワードを埋め込むためのメニューを選択すると、デジタルカメラの表示器３８には、パスワードを設定するための設定画面が表示される。ここで、シフトボタン４０Ｃが操作されると、アルファベットや数字の一覧が画面に表示され（図示せず）、所望のアルファベット等を十字ボタン４０Ｂで選択し、メニュー／実行ボタン４０Ａの操作で確定させることで、パスワードを入力することができる。
【００４４】
このようにしてデジタルカメラにパスワードが設定されている場合には、図６に示すようにパスワード（この実施の形態では、"tetrapot") が埋め込まれたＸＭＬファイル５２’が作成される。
【００４５】
また、アーカイバは、ＸＭＬファイルにパスワードが記述されている場合には、入力されたパスワードと上記記述されているパスワードとが一致した時のみ解凍できるアーカイブファイルを作成する。これにより、パスワードを知っている利用者のみがアーカイブファイルを解凍し利用することができる。
【００４６】
次に、デジタルカメラによって記録されたアーカイブファイルを閲覧するためのビューワソフトについて説明する。このビューワソフトは、例えばデジタルカメラと同梱のＣＤ−ＲＯＭ等によって利用者に提供される。
【００４７】
図７は上記ビューワソフトがインストールされたパーソナルコンピュータ（ＰＣ）６０とデジタルカメラ１０とがＵＳＢインターフェースやＩＥＥＥ１３９４インンターフェースなどで接続されている場合に関して示している。
【００４８】
このビューワソフトが起動している状態でデジタルカメラ１０がＵＳＢ接続されると、、ビューワソフトは、自動的にデジタルカメラ１０からアーカイブファイルを読み出し、当該アーカイブファイルを解凍してＸＭＬファイルと画像ファイルを取得し、予め指定されたフォルダに格納する。
【００４９】
そして、ビューワソフトは、前記格納されたＸＭＬファイルの表示が指示されると、ＰＣ６０のモニタにＸＭＬファイルを表示させるとともに、ＸＭＬファイルに記述された画像ファイルのリンク情報を参照して解凍した画像ファイルの画像を表示させる。尚、ＸＭＬファイルには、表示方法の情報は含まれておらず、図２に示したようにツリー構造を持ったデータの情報しか記述されていないため、そのツリー構造が表示される。
【００５０】
次に、デジタルカメラによって記録されたアーカイブファイルを送受信する通信ソフトについて説明する。
【００５１】
図８（Ａ）はアーカイブファイルが送受信される通信システムの構成を示し、図８（Ｂ）は通信処理の流れを示している。
【００５２】
送信側端末６２及び受信側端末７０には、デジタルカメラ１０で作成したアーカイブファイルを送受信する通信ソフトがインストールされており、送信側端末６２は、デジタルカメラ１０から取り込んだアーカイブファイルを通信手段（図８（Ａ）の例では携帯電話６４）及び公衆回線を介して受信側端末７０に送信する。
【００５３】
受信側端末７０はモデム６８を介してアーカイブファイルを受信し、この受信時にアーカイブファイルを解凍して画像ファイル５０とＸＭＬファイル５２を取得し、これらのファイルをハードディスク内の所定のフォルダに格納する。
【００５４】
尚、図８（Ｂ）に示したアーカイブファイルは、アーカイバtar によりアーカイブ化された非圧縮のファイルであるが、通信時間の短縮のために圧縮形式のアーカイブファイルを用いることが好ましい。
【００５５】
次に、デジタルカメラによって記録されたアーカイブファイルを取り込み、画像ファイルを管理する画像管理ソフトについて説明する。
【００５６】
図９はアーカイブファイルに含まれる画像ファイルの登録検索を行う画像管理ソフトの作用を示す図である。
【００５７】
同図において、画像管理ソフトがインストールされたＰＣにアーカイブファイル５４が取り込まれると、画像管理ソフトはアーカイブファイル５４を解凍して画像ファイル５０とＸＭＬファイル５２とを取得する。
【００５８】
続いて、画像ファイル固有のユニークな画像識別情報（画像ＩＤ）を発行し、この画像ＩＤに関連づけて画像ファイルを画像データベース８０に登録する。
【００５９】
また、画像データベース８０は登録された画像ファイルを検索・管理するための管理テーブルを含んでおり、画像管理ソフトは、ＸＭＬファイル５２から開始タグと終了タグとで囲まれた画像ファイル５０の付属情報（テキスト情報）を抽出し、この抽出したテキスト情報を画像ＩＤに関連付けて管理テーブルに登録する。図１０は管理テーブルの一例を示す図である。
【００６０】
このようにして作成された画像データベース８０に対する画像検索は、以下のようにして行われる。所望の画像と対応するテキスト情報（キーワード）を入力する。このキーワードを基に管理テーブルを参照して、そのキーワードと対応する画像ＩＤが検索され、検索された画像ＩＤに対応する画像ファイルが画像データベース８０から読み出される。
【００６１】
尚、この実施の形態では、ＸＭＬファイルをデジタルカメラで作成したが、このＸＭＬファイルには、ＸＭＬをベースとするＸＨＴＭＬファイルも含まれるものとする。また、デジタルカメラでは、ＸＭＬファイルとともに、表示形態を規定するスタイルシートも作成し、アーカイブ化するようにしてもよい。
【図面の簡単な説明】
【００６２】
【図１】図１は本発明に係る撮像装置の実施の形態を示すブロック図である。
【図２】図２はＸＭＬファイルのファイル構造の一例を示す図である。
【図３】図３は画像ファイルとＸＭＬファイルとからアーカイブファイルが作成される様子を示す図である。
【図４】図４は撮影から記録メディアへの記録までのデジタルカメラの処理の流れを示すフローチャートである。
【図５】図５はパスワードを設定するときの操作画面を示すデジタルカメラの背面図である。
【図６】図６はパスワードが埋め込まれたＸＭＬファイルのファイル構造の一例を示す図である。
【図７】図７はビューワソフトの作用を説明するために用いた図である。
【図８】図８は通信ソフトの作用を説明するために用いた図である。
【図９】図９は画像管理ファイルの作用を説明するために用いた図である。
【図１０】図１０は管理テーブルの一例を示す図である。
【符号の説明】
【００６３】
１０…撮像装置（デジタルカメラ）、１２…撮影光学系、１４…ズームレンズ、１６…絞り機構、１８…フォーカスレンズ、、２０…撮像素子、２２…アナログ処理回路、２４…システムコントローラ、２６…ズームモータ、２８…絞りアクチュエータ、３０…フォーカスモータ、３２…画像処理回路、３４…画像メモリ、３６…表示回路、３８…表示器、４０…操作部、４２…メディア書込読出回路、４４…記録メディア、５０…画像ファイル、５２、５２’…ＸＭＬファイル、５４…アーカイブファイル、６０…パーソナルコンピュータ（ＰＣ）、６２…送信側端末、６４…携帯電話、６８…モデム、７０…受信側端末、８０…画像データベース
【図１】
2005217505.tif 000003
【図２】
2005217505.tif 000004
【図３】
2005217505.tif 000005
【図４】
2005217505.tif 000006
【図５】
2005217505.tif 000007
【図６】
2005217505.tif 000008
【図７】
2005217505.tif 000009
【図８】
2005217505.tif 000010
【図９】
2005217505.tif 000011
【図１０】
2005217505.tif 000012